(57)【要約】【課題】撮影補助装置の技術分野に属し、既存技術における三脚雲台が水平方向のみにおいて摺動抵抗を受けずに運動することができる三脚雲台を提供する。【解決手段】三脚雲台は、上部に開口が設けられたボールソケットと、開口内に設けられ、クイックシュー連結具との接続に用いられるボール継手と、ボールソケットの下部に設けられ、回転可能で、かつ、中部に三脚との接続に用いられる装着用ネジ孔が設けられたベース台と、を含み、ボールソケットの外表面には、水平方向にのみ位置決めするための位置決め調整つまみが設けられ、水平方向にのみ位置決めするための位置決め調整つまみの軸線とボール継手の中心とは、同一の水平面に位置されている。【選択図】図１
2016080961.tif 000002
【特許請求の範囲】
【請求項１】
上部に開口が設けられたボールソケットと、
開口内に設けられ、クイックシュー連結具との接続に用いられるボール継手と、
ボールソケットの下部に設けられ、回転可能で、かつ、中部に三脚との接続に用いられる装着用ネジ孔が設けられたベース台と、を含み、
ボールソケットの外表面には、位置決め調整つまみが設けられ、位置決め調整つまみの軸線とボール継手の中心とは、同一の水平面に位置されていることを特徴とする三脚雲台。
【請求項２】
ボール継手の中心を通る水平面において、９０度の円弧をなすように二つの位置決め孔が設けられ、位置決め孔は、クイックシュー連結具の方向の調整に用いられ、
位置決め孔は、位置決め調整つまみと互いに対応しながら位置決め調整つまみの内側面の方に位置されていることを特徴とする請求項１に記載の三脚雲台。
【請求項３】
位置決め調整つまみは、内接インサートおよび螺旋軸を含み、
内接インサートの一端は位置決め調整つまみと連結し、内接インサートの他端はボールソケットの内側のネジ山と連結し、
螺旋軸の一端は位置決め調整つまみの内側のネジ山と連結し、螺旋軸の他端は内接インサートの内側孔と接触することを特徴とする請求項１又は２に記載の三脚雲台。
【請求項４】
螺旋軸に位置決め溝および位置決めピンが設けられ、位置決めピンは、螺旋軸の位置決め溝を介して内接インサートの内側壁と連結し、螺旋軸の回転およびストローク位置決めをコントロールすることを特徴とする請求項３に記載の三脚雲台。
【請求項５】
回転ベース位置決めつまみがさらに設けられていることを特徴とする請求項１〜４のいずれか１項に記載の三脚雲台。
【請求項６】
水準器がさらに設けられていることを特徴とする請求項１〜５のいずれか１項に記載の三脚雲台。
【発明の詳細な説明】
【技術分野】
【０００１】
本発明は撮影補助装置に関し、特に三脚雲台に関する。
【背景技術】
【０００２】
三脚と合わせて使用される三脚雲台は、カメラの撮影角度の調整に用いられる。使用する際には、まず三脚雲台を三脚に装着し、次に雲台と適合するクイックシューをカメラにねじりこみ、最後に三脚に装着する。三脚は、カメラが水平方向に３６０度回転でき、上下に一定角度傾斜できるようにするものである。
【０００３】
既存技術において、ボール雲台がボール継手を採用するため、三脚雲台は、水平方向ののみにおいて摺動抵抗を受けずに運動することができず、鳥類、運動する物体、スポーツ撮影を素早く撮影することができない。
【発明の概要】
【発明が解決しようとする課題】
【０００４】
本発明は、水平方向のみにおいて摺動抵抗を受けずに運動することができる三脚雲台を提供することを目的とする。
【課題を解決するための手段】
【０００５】
上記の目的を達成するための本発明は、次のような技術的手段を採用する。
【０００６】
本発明に係る三脚雲台は、上部に開口が設けられたボールソケットと、開口内に設けられ、クイックシュー連結具との接続に用いられるボール継手と、ボールソケットの下部に設けられ、回転可能で、かつ、中部に三脚との接続に用いられる装着用ネジ孔が設けられたベース台と、を含む。
【０００７】
ボール継手の中心を通る水平面において、９０度の円弧をなすように二つの位置決め孔が設けられている。位置決め孔は、クイックシュー連結具の方向の調整に用いられる。ボールソケットの外表面には、位置決め調整つまみが設けられている。位置決め調整つまみと位置決め孔とは、互いに位置が対応する。位置決め調整つまみの軸線とボール継手の中心とは、同一の水平面に位置されている。ここで、位置決め調整つまみは、内接インサート、螺旋軸および位置決めピンを含む。ボールソケットの内側のネジ山は内接インサートと連結し、内接インサートの他端は位置決め調整つまみと連結し、位置決め調整つまみの内側のネジ山は螺旋軸と連結する。位置決め調整つまみを回転して、螺旋軸の他端を位置決め孔と接触させる。使用する際には、クイックシュー連結具をボールソケットの開口の凹部まで回して位置決めし、位置決め調整つまみを回転させると、三脚雲台は、水平方向のみにおいて摺動抵抗を受けずに運動することができる。
【０００８】
三脚雲台には、回転ベース台位置決めつまみがさらに設けられていることが好ましい。
【０００９】
前記三脚雲台には、水準器がさらに設けられていることが好ましい。
【発明の効果】
【００１０】
本発明に係る三脚雲台によれば、使用する際には、クイックシュー連結具をボールソケットの開口の凹部まで回して位置決めし、位置決め調整つまみを回転させるため、水平方向のみにおいて摺動抵抗を受けずに運動することができる。
【図面の簡単な説明】
【００１１】
【図１】本発明に係る三脚雲台の構造を示す図である。
【図２】ボール継手の中心を通る水平断面図である。
【発明を実施するための形態】
【００１２】
図１、図２を参照しながら、本発明を詳細に説明する。
【００１３】
本発明に係る三脚雲台は、ボールソケット１と、開口２と、開口２内に設けられ、クイックシュー連結具との接続に用いられるボール継手３と、ボールソケット１の外表面に設けられる位置決め調整つまみ４と、締付（ダンピング）つまみ５と、回転ベース台位置決めつまみ６と、ボールソケット１の下部に設けられ、回転可能で、かつ、中部に三脚との接続に用いられる装着用ネジ孔８が設けられたベース台７と、を含む。
【００１４】
ボールソケット１の開口２内には、ボール継手３が設けられ、ボール継手３の中心を通る水平面において、９０度の円弧をなすように二つの位置決め孔３１、３２が設けられている。二つの位置決め孔３１、３２は、クイックシュー連結具の方向の調整に用いられる。
【００１５】
ボールソケット１の外表面には、位置決め調整つまみ４が設けられている。位置決め調整つまみ４の軸線とボール継手３の中心とは、同一の水平面に位置されている。位置決め調整つまみ４は、内接インサート４１、螺旋軸４２および位置決めピン４３を含む。ボールソケット１の内側のネジ山は内接インサート４１と連結し、内接インサート４１の他端は位置決め調整つまみ４と連結し（図示せず）、位置決め調整つまみ４の内側のネジ山は螺旋軸４２と連結する。位置決めピン４３は、螺旋軸４２の回転およびストローク位置決めをコントロールする。
【００１６】
位置決め調整つまみ４の螺旋軸４２と位置決め孔３１とは互いに対応しており、位置決め調整つまみ４を回転して、螺旋軸４２の他端を位置決め孔３１と接触させる。また、本発明に係る三脚雲台には、回転ベース台位置決めつまみ６および水準器（図示せず）がさらに設けられている。図１において、締付つまみ５、回転ベース台７および三脚と接続する装着用ネジ孔は、それぞれ既存技術である。
【符号の説明】
【００１７】
１    ボールソケット
２    開口
３    ボール継手
４    位置決め調整つまみ
５    ボール継手締付つまみ
６    回転ベース台位置決めつまみ
７    回転ベース台
８    三脚と接続する装着用ネジ孔
３１  位置決め孔
３２  位置決め孔
４１  内接インサート
４２  螺旋軸
４３  位置決めピン
【図１】
2016080961.tif 000003
【図２】
2016080961.tif 000004